【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
（ａ）第１の基材を含有する第１の容器であって、部分が前記第１の基材の表面に結合しており、前記部分が、式Ｉ、ＩＩ、ＩＩＩ、ＩＶ、Ｖ、ＶＩ、ＶＩＩ、ＶＩＩＩ、およびＩＸのいずれかの化合物、ならびにその誘導体、または前述のいずれかの塩もしくは立体異性体からなる群から選択される第１の容器と、
（ｂ）第２の基材を含有する第２の容器であって、前記第２の基材の表面が結合部分を欠く第２の容器と
を含むキット。
【請求項２】
前記部分が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、請求項１に記載のキット。
【請求項３】
前記部分が、式ＶＩＩＩの化合物およびその誘導体、または前述のいずれかの塩もしくは立体異性体からなる群から選択される、請求項１に記載のキット。
【請求項４】
Ｒ１、Ｒ２、Ｒ３、Ｒ４、Ｒ５、Ｒ６、Ｒ７、およびＲ８がそれぞれ水素である、請求項３に記載のキット。
【請求項５】
Ｒ２０がＨである、請求項３または４に記載のキット。
【請求項６】
Ｒ２１が−Ｃ１〜８アルキル−Ｎ（ＣＨ２ＣＨ２Ｃｌ）２である、請求項３から５のいずれか一項に記載のキット。
【請求項７】
前記部分が、式ＩＶ、Ｖ、およびＶＩのいずれかの化合物、ならびにその誘導体、または前述のいずれかの塩もしくは立体異性体からなる群から選択される、請求項１に記載のキット。
【請求項８】
前記部分が、式ＩＶ（ａ）〜ＩＶ（ｈ）のいずれかの化合物、およびその誘導体、または前述のいずれかの塩もしくは立体異性体からなる群から選択される、請求項７に記載のキット。
【請求項９】
前記部分が、Ｓ−３０３、Ｓ−３０３の誘導体、または前述のいずれかの塩である、請求項１に記載のキット。
【請求項１０】
前記部分が、Ｓ−３０３の非脆性類似体またはその塩である、請求項１に記載のキット。
【請求項１１】
Ｓ−３０３の前記非脆性類似体が、Ｓ−１９７またはＳ−２２０である、請求項１０に記載のキット。
【請求項１２】
前記基材の表面に結合した前記部分が、基材１単位当たり少なくとも約１０，０００個の部分の担持レベルで存在する、請求項１から１１のいずれか一項に記載のキット。
【請求項１３】
前記基材の表面に結合した前記部分が、少なくとも約５０個の部分／μｍ２の担持レベルで存在する、請求項１から１１のいずれか一項に記載のキット。
【請求項１４】
前記第１および前記第２の基材それぞれが、ポリマー粒子、マトリックス、またはアッセイプレートの一部分を含む、請求項１から１３のいずれか一項に記載のキット。
【請求項１５】
前記第１の基材が赤血球を含み、前記第２の基材が赤血球を含み，前記第１および第２の基材の前記赤血球が１つまたは複数の共通のドナーから得たものである、請求項１から１３のいずれか一項に記載のキット。
【請求項１６】
第３の基材を含有する第３の容器をさらに含み、第１のレベルの前記部分が前記第１の基材の表面に結合しており、第２のレベルの前記部分が前記第３の基材の表面に結合しており、前記第２のレベルが前記第１のレベル未満である、請求項１から１５のいずれか一項に記載のキット。
【請求項１７】
前記第１の基材の表面に結合した前記部分の前記第１のレベルが、前記第３の基材の表面に結合した前記部分の前記第２のレベルよりも少なくとも３倍高い、請求項１６に記載のキット。
【請求項１８】
前記第３の基材が、ポリマー粒子、マトリックス、またはアッセイプレートの一部分を含む、請求項１６または請求項１７に記載のキット。
【請求項１９】
前記第３の基材が赤血球を含み、前記第１、前記第２、および前記第３の基材の前記赤血球が１つまたは複数の共通のドナーから得たものである、請求項１６または請求項１７に記載のキット。
【請求項２０】
前記第１の基材が２、３、４、５、６、７、８、９、１０、または１１種の試料を含み、前記第１の基材の前記試料のそれぞれが異なる血液ドナーから得た赤血球を含み、前記第２の基材が、別々の血液ドナーのそれぞれからの赤血球を含む、対応する試料を含む、請求項１５または請求項１９に記載のキット。
【請求項２１】
前記２、３、４、５、６、７、８、９、１０、または１１種の試料が、複数の血液タイプを表す、請求項２０に記載のキット。
【請求項２２】
赤血球のパネルを調製する方法であって、
赤血球を含む第１の試料の前記赤血球を化合物で処理するステップであって、前記化合物での処理が、部分の、前記第１の試料の赤血球の表面への結合をもたらすステップと
を含み、赤血球を含む第２の試料が、前記化合物で処理されず、これによって、表面結合部分を有する赤血球の第１の試料と、前記表面結合部分を欠く赤血球の第２の試料とを含むパネルが生成され、
前記化合物が、式Ｉ、ＩＩ、ＩＩＩ、ＩＶ（ａ）〜ＩＶ（ｈ）、ＶＩＩ、ＶＩＩＩ、およびＩＸのいずれかの化合物、ならびにその誘導体、または前述のいずれかの塩もしくは立体異性体からなる群から選択される、方法。
【請求項２３】
前記化合物が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、請求項２２に記載の方法。
【請求項２４】
前記化合物が、式ＶＩＩＩの化合物およびその誘導体、または前述のいずれかの塩もしくは立体異性体からなる群から選択される、請求項２２に記載の方法。
【請求項２５】
Ｒ１、Ｒ２、Ｒ３、Ｒ４、Ｒ５、Ｒ６、Ｒ７、およびＲ８がそれぞれ水素である、請求項２４に記載の方法。
【請求項２６】
Ｒ２０がＨである、請求項２４または２５に記載の方法。
【請求項２７】
Ｒ２１が−Ｃ１〜８アルキル−Ｎ（ＣＨ２ＣＨ２Ｃｌ）２である、請求項２４から２６のいずれか一項に記載の方法。
【請求項２８】
前記化合物が、式ＩＶ（ａ）〜ＩＶ（ｈ）のいずれかの化合物、およびその誘導体、または前述のいずれかの塩もしくは立体異性体からなる群から選択される、請求項２２に記載の方法。
【請求項２９】
前記化合物が、Ｓ−３０３の誘導体、またはその塩である、請求項２２に記載の方法。
【請求項３０】
前記化合物が、Ｓ−３０３の非脆性類似体、またはその塩であり、必要に応じて、Ｓ−３０３の前記非脆性類似体が、Ｓ−１９７またはＳ−２２０である、請求項２２に記載の方法。
【請求項３１】
前記表面結合部分が、Ｓ−３０３の誘導体、またはその塩である、請求項２２に記載の方法。
【請求項３２】
前記表面結合部分が、Ｓ−３０３の非脆性類似体、またはその塩である、請求項２２に記載の方法。
【請求項３３】
前記赤血球の表面に結合した前記部分が、赤血球１個当たり少なくとも約１０，０００個の部分の担持レベルで存在する、請求項２２から３２のいずれか一項に記載の方法。
【請求項３４】
前記赤血球の表面に結合した前記部分が、少なくとも約５０個の部分／μｍ２の担持レベルで存在する、請求項２２から３２のいずれか一項に記載の方法。
【請求項３５】
前記第１および前記第２の試料の前記赤血球が同じ血液ドナーから得たものである、請求項２２から３４のいずれか一項に記載の方法。
【請求項３６】
前記処理ステップの後に、
前記第１および前記第２の試料を洗浄するステップ
をさらに含む、請求項２２から３５のいずれか一項に記載の方法。
【請求項３７】
前記処理ステップの後に、
前記第１および前記第２の試料に凍結保存剤を加えるステップと、
前記第１および前記第２の試料を冷凍するステップと
をさらに含む、請求項２２から３６のいずれか一項に記載の方法。
【請求項３８】
前記処理ステップの後に、前記第１および第２の試料を冷蔵温度で保存するステップをさらに含む、請求項２２から３６のいずれか一項に記載の方法。
【請求項３９】
前記処理ステップの後に、前記第１および第２の試料を約−２０℃未満で保存するステップを含む、請求項２２から３７のいずれか一項に記載の方法。
【請求項４０】
赤血球を含む第３の試料を前記化合物で処理するステップであって、前記第３の試料の前記赤血球の前記化合物による処理が、前記第３の試料の赤血球の表面に結合した第２のレベルの前記部分をもたらすステップをさらに含み、第１のレベルの前記部分が、前記第１の試料の赤血球の表面に結合しており、前記第２のレベルが前記第１のレベル未満である、請求項２２から３９のいずれか一項に記載の方法。
【請求項４１】
前記第３の試料を前記化合物で処理した後、
前記第３の試料を洗浄するステップ
をさらに含む、請求項４０に記載の方法。
【請求項４２】
前記第３の試料を前記化合物で処理した後、
凍結保存剤を前記第３の試料に加えるステップと、
前記第３の試料を冷凍するステップと
をさらに含む、請求項４０または請求項４１に記載の方法。
【請求項４３】
前記第３の試料を前記化合物で処理した後、前記第３の試料を冷蔵温度で保存するステップをさらに含む、請求項４０または請求項４１に記載の方法。
【請求項４４】
化合物に結合する抗体の存在について試料を試験する方法であって、
ａ）血清または血漿を含む試料を赤血球に接触させるステップであって、部分が前記赤血球の表面に結合しており、前記部分が、式Ｉ、ＩＩ、ＩＩＩ、ＩＶ（ａ）〜ＩＶ（ｈ）、ＶＩＩ、ＶＩＩＩ、およびＩＸのいずれかの化合物、ならびにその誘導体、または前述のいずれかの塩もしくは立体異性体からなる群から選択されるステップと、
ｂ）前記試料からの抗体と、前記赤血球の表面結合部分との間の結合の量をアッセイするステップであって、前記抗体と前記表面結合部分との間の結合が、前記抗体が前記化合物に結合することを示すステップと
を含む、方法。
【請求項４５】
前記化合物が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、請求項４４に記載の方法。
【請求項４６】
前記化合物が、式ＶＩＩＩの化合物およびその誘導体、または前述のいずれかの塩もしくは立体異性体からなる群から選択される、請求項４４に記載の方法。
【請求項４７】
Ｒ１、Ｒ２、Ｒ３、Ｒ４、Ｒ５、Ｒ６、Ｒ７、およびＲ８がそれぞれ水素である、請求項４６に記載の方法。
【請求項４８】
Ｒ２０がＨである、請求項４６または４７に記載の方法。
【請求項４９】
Ｒ２１が−Ｃ１〜８アルキル−Ｎ（ＣＨ２ＣＨ２Ｃｌ）２である、請求項４６から４８のいずれか一項に記載の方法。
【請求項５０】
前記化合物が、式ＩＶ（ａ）〜ＩＶ（ｈ）のいずれかの化合物、およびその誘導体、または前述のいずれかの塩もしくは立体異性体からなる群から選択される、請求項４４に記載の方法。
【請求項５１】
前記化合物が、Ｓ−３０３の誘導体、またはその塩である、請求項４４に記載の方法。
【請求項５２】
前記化合物が、Ｓ−３０３の非脆性類似体、またはその塩である、請求項４４に記載の方法。
【請求項５３】
Ｓ−３０３の前記非脆性類似体が、Ｓ−１９７またはＳ−２２０である、請求項５２に記載の方法。
【請求項５４】
前記表面結合部分が、Ｓ−３０３の誘導体、またはその塩である、請求項４４に記載の方法。
【請求項５５】
前記表面結合部分が、Ｓ−３０３の非脆性類似体、またはその塩である、請求項４４に記載の方法。
【請求項５６】
前記赤血球の表面に結合した前記部分が、赤血球１個当たり少なくとも約１０，０００個の部分の担持レベルで存在する、請求項４４から５５のいずれか一項に記載の方法。
【請求項５７】
前記赤血球の表面に結合した前記部分が、少なくとも約５０個の部分／μｍ２の担持レベルで存在する、請求項４４から５５のいずれか一項に記載の方法。
【請求項５８】
前記化合物および前記表面結合部分が同じである、請求項４４から５７のいずれか一項に記載の方法。
【請求項５９】
前記化合物および前記表面結合部分が異なる、請求項４４から５７のいずれか一項に記載の方法。
【請求項６０】
ステップ（ｂ）が、前記試料からの抗体と、前記表面結合部分との間の結合の量を、参照と比較するステップであって、前記参照と比較した場合の結合の量の増加が前記試料中の前記抗体の存在を示すステップを含む、請求項４４から５９のいずれか一項に記載の方法。
【請求項６１】
ステップ（ｂ）が、前記試料からの抗体と、前記表面結合部分を欠く赤血球との間の結合の量をアッセイするステップを含む、請求項６０に記載の方法。
【請求項６２】
ステップ（ｂ）が、前記試料からの抗体と、前記表面結合部分の量がより少ない赤血球との間の結合の量をアッセイするステップをさらに含む、請求項６０に記載の方法。
【請求項６３】
ステップ（ａ）が前記試料および前記赤血球を、抗ヒトグロブリンと接触させるステップを含み、ステップ（ｂ）が凝集量をアッセイするステップを含む、請求項４４から６２のいずれか一項に記載の方法。
【請求項６４】
試料からの抗体と、基材の表面結合部分との間の結合の量を赤血球輸血を患者に提供するための指標とする方法であって、前記赤血球輸血が、病原体不活化化合物で処理した赤血球を含み、前記方法が、
ａ）前記患者からの血清または血漿を含む試料を第１の基材と接触させるステップであって、部分が前記基材の表面に結合しているステップと、
ｂ）前記試料からの抗体と、前記第１の基材の表面結合部分との間の結合の前記量を、参照と比較してアッセイするステップであって、前記抗体と前記表面結合部分との間の結合が、前記抗体が前記病原体不活化化合物で処理した赤血球に結合することを示すステップと、
ｃ）前記結合の量が前記参照より高いかどうかを判定するステップと、
ｄ）前記結合の量が前記参照より高くないという判定に従い、血液輸血を前記患者に提供するステップと
を含む、方法。
【請求項６５】
前記表面結合部分が、式Ｉ、ＩＩ、ＩＩＩ、ＩＶ、Ｖ、ＶＩ、ＶＩＩ、ＶＩＩＩ、およびＩＸのいずれかの化合物、ならびにその誘導体、または前述のいずれかの塩もしくは立体異性体からなる群から選択される、請求項６４に記載の方法。
【請求項６６】
前記表面結合部分が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、請求項６４に記載の方法。
【請求項６７】
前記表面結合部分が、式ＶＩＩＩの化合物およびその誘導体、または前述のいずれかの塩もしくは立体異性体からなる群から選択される、請求項６４に記載の方法。
【請求項６８】
Ｒ１、Ｒ２、Ｒ３、Ｒ４、Ｒ５、Ｒ６、Ｒ７、およびＲ８がそれぞれ水素である、請求項６７に記載の方法。
【請求項６９】
Ｒ２０がＨである、請求項６７または６８に記載の方法。
【請求項７０】
Ｒ２１が−Ｃ１〜８アルキル−Ｎ（ＣＨ２ＣＨ２Ｃｌ）２である、請求項６７から６９のいずれか一項に記載の方法。
【請求項７１】
前記表面結合部分が、式ＩＶ、Ｖ、およびＶＩのいずれかの化合物、ならびにその誘導体、または前述のいずれかの塩もしくは立体異性体からなる群から選択される、請求項６４に記載の方法。
【請求項７２】
前記表面結合部分が、式ＩＶ（ａ）〜ＩＶ（ｈ）のいずれかの化合物、およびその誘導体、または前述のいずれかの塩もしくは立体異性体からなる群から選択される、請求項７１に記載の方法。
【請求項７３】
前記表面結合部分が、Ｓ−３０３、Ｓ−３０３の誘導体、または前述のいずれかの塩である、請求項６４に記載の方法。
【請求項７４】
前記表面結合部分が、Ｓ−３０３の非脆性類似体またはその塩である、請求項６４に記載の方法。
【請求項７５】
Ｓ−３０３の前記非脆性類似体が、Ｓ−１９７またはＳ−２２０である、請求項７４に記載の方法。
【請求項７６】
前記化合物および前記表面結合部分が同じである、請求項６４から７５のいずれか一項に記載の方法。
【請求項７７】
前記化合物および前記表面結合部分が異なる、請求項６４から７５のいずれか一項に記載の方法。
【請求項７８】
前記第１の基材が、ポリマー粒子、マトリックス、またはアッセイプレートの一部分を含む、請求項６４から７７のいずれか一項に記載の方法。
【請求項７９】
前記第１の基材が赤血球を含む、請求項６４から７７のいずれか一項に記載の方法。
【請求項８０】
ステップ（ｂ）が、前記試料からの抗体と、前記表面結合部分を欠く第２の基材との間の結合の量をアッセイするステップを含む、請求項６４から７９のいずれか一項に記載の方法。
【請求項８１】
前記第２の基材が前記第１の基材と同じである、請求項８０に記載の方法。
【請求項８２】
ステップ（ｂ）が、前記試料からの抗体と、前記第１の基材と比較してより少量の前記表面結合部分を有する第３の基材との間の結合の量をアッセイするステップをさらに含む、請求項６４から８０のいずれか一項に記載の方法。
【請求項８３】
前記第３の基材が前記第１の基材と同じである、請求項８２に記載の方法。
【請求項８４】
ステップ（ａ）が前記試料および前記基材（複数可）を抗ヒトグロブリンに接触させるステップを含み、ステップ（ｂ）が凝集量をアッセイするステップを含む、請求項６４から８３のいずれか一項に記載の方法。
【請求項８５】
前記基材（複数可）の表面に結合した前記部分が、前記病原体不活化化合物と同じではない、請求項６４から８４のいずれか一項に記載の方法。
【請求項８６】
ヒト赤血球を含む組成物であって、式Ｉ、ＩＩ、ＩＩＩ、ＩＶ（ａ）〜ＩＶ（ｈ）、ＶＩ、ＶＩＩ、ＶＩＩＩ、およびＩＸのいずれかの化合物、ならびにその誘導体、または前述のいずれかの塩もしくは立体異性体からなる群から選択される部分が、前記ヒト赤血球の表面に結合している、組成物。
【請求項８７】
前記部分が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、請求項８６に記載の組成物。
【請求項８８】
前記部分が、式ＶＩＩＩの化合物およびその誘導体、または前述のいずれかの塩もしくは立体異性体からなる群から選択される、請求項８６に記載の組成物。
【請求項８９】
Ｒ１、Ｒ２、Ｒ３、Ｒ４、Ｒ５、Ｒ６、Ｒ７、およびＲ８がそれぞれ水素である、請求項８８に記載の組成物。
【請求項９０】
Ｒ２０がＨである、請求項８８または８９に記載の組成物。
【請求項９１】
Ｒ２１が−Ｃ１〜８アルキル−Ｎ（ＣＨ２ＣＨ２Ｃｌ）２である、請求項８８から９０のいずれか一項に記載の組成物。
【請求項９２】
前記部分が、Ｓ−３０３の非脆性類似体またはその塩である、請求項８６に記載の組成物。
【請求項９３】
Ｓ−３０３の前記非脆性類似体が、Ｓ−１９７またはＳ−２２０である、請求項９２に記載の組成物。
【手続補正２】
【補正対象書類名】明細書
【補正対象項目名】０１５６
【補正方法】変更
【補正の内容】
【０１５６】
３つの第１パネルの結果が、表面結合付加体を有するＲＢＣと、対応する対照の未処理ＲＢＣとの両方に対して、３つのうちの３つ、３つのうちの２つ、または３つのうちの１つが反応性を示す場合、試料は、内因性赤血球抗原に対して「アロ反応性が推定される」抗体を有すると考えられる。
本発明は、例えば、以下の項目を提供する。
(項目１)
（ａ）第１の基材を含有する第１の容器であって、部分が前記第１の基材の表面に結合しており、前記部分が、式Ｉ、ＩＩ、ＩＩＩ、ＩＶ、Ｖ、ＶＩ、ＶＩＩ、ＶＩＩＩ、およびＩＸのいずれかの化合物、ならびにその誘導体、または前述のいずれかの塩もしくは立体異性体からなる群から選択される第１の容器と、
（ｂ）第２の基材を含有する第２の容器であって、前記第２の基材の表面が結合部分を欠く第２の容器と
を含むキット。
(項目２)
前記部分が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、項目１に記載のキット。
(項目３)
前記部分が、式ＶＩＩＩの化合物およびその誘導体、または前述のいずれかの塩もしくは立体異性体からなる群から選択される、項目１に記載のキット。
(項目４)
Ｒ１、Ｒ２、Ｒ３、Ｒ４、Ｒ５、Ｒ６、Ｒ７、およびＲ８がそれぞれ水素である、項目３に記載のキット。
(項目５)
Ｒ２０がＨである、項目３または４に記載のキット。
(項目６)
Ｒ２１が−Ｃ１〜８アルキル−Ｎ（ＣＨ２ＣＨ２Ｃｌ）２である、項目３から５のいずれか一項に記載のキット。
(項目７)
前記部分が、式ＩＶ、Ｖ、およびＶＩのいずれかの化合物、ならびにその誘導体、または前述のいずれかの塩もしくは立体異性体からなる群から選択される、項目１に記載のキット。
(項目８)
前記部分が、式ＩＶ（ａ）〜ＩＶ（ｈ）のいずれかの化合物、およびその誘導体、または前述のいずれかの塩もしくは立体異性体からなる群から選択される、項目７に記載のキット。
(項目９)
前記部分が、Ｓ−３０３、Ｓ−３０３の誘導体、または前述のいずれかの塩である、項目１に記載のキット。
(項目１０)
前記部分が、Ｓ−３０３の非脆性類似体またはその塩である、項目１に記載のキット。
(項目１１)
Ｓ−３０３の前記非脆性類似体が、Ｓ−１９７またはＳ−２２０である、項目１０に記載のキット。
(項目１２)
前記基材の表面に結合した前記部分が、基材１単位当たり少なくとも約１０，０００個の部分の担持レベルで存在する、項目１から１１のいずれか一項に記載のキット。
(項目１３)
前記基材の表面に結合した前記部分が、少なくとも約５０個の部分／μｍ２の担持レベルで存在する、項目１から１１のいずれか一項に記載のキット。
(項目１４)
前記第１および前記第２の基材それぞれが、ポリマー粒子、マトリックス、またはアッセイプレートの一部分を含む、項目１から１３のいずれか一項に記載のキット。
(項目１５)
前記第１の基材が赤血球を含み、前記第２の基材が赤血球を含み，前記第１および第２の基材の前記赤血球が１つまたは複数の共通のドナーから得たものである、項目１から１３のいずれか一項に記載のキット。
(項目１６)
第３の基材を含有する第３の容器をさらに含み、第１のレベルの前記部分が前記第１の基材の表面に結合しており、第２のレベルの前記部分が前記第３の基材の表面に結合しており、前記第２のレベルが前記第１のレベル未満である、項目１から１５のいずれか一項に記載のキット。
(項目１７)
前記第１の基材の表面に結合した前記部分の前記第１のレベルが、前記第３の基材の表面に結合した前記部分の前記第２のレベルよりも少なくとも３倍高い、項目１６に記載のキット。
(項目１８)
前記第３の基材が、ポリマー粒子、マトリックス、またはアッセイプレートの一部分を含む、項目１６または項目１７に記載のキット。
(項目１９)
前記第３の基材が赤血球を含み、前記第１、前記第２、および前記第３の基材の前記赤血球が１つまたは複数の共通のドナーから得たものである、項目１６または項目１７に記載のキット。
(項目２０)
前記第１の基材が２、３、４、５、６、７、８、９、１０、または１１種の試料を含み、前記第１の基材の前記試料のそれぞれが異なる血液ドナーから得た赤血球を含み、前記第２の基材が、別々の血液ドナーのそれぞれからの赤血球を含む、対応する試料を含む、項目１５または項目１９に記載のキット。
(項目２１)
前記２、３、４、５、６、７、８、９、１０、または１１種の試料が、複数の血液タイプを表す、項目２０に記載のキット。
(項目２２)
赤血球のパネルを調製する方法であって、
ａ）赤血球を含む第１および第２の試料を提供するステップと、
ｂ）前記第１の試料の前記赤血球を化合物で処理するステップであって、前記化合物での処理が、部分の、前記第１の試料の赤血球の表面への結合をもたらすステップと
を含み、前記第２の試料が、前記化合物で処理されず、これによって、表面結合部分を有する赤血球の第１の試料と、前記表面結合部分を欠く赤血球の第２の試料とを含むパネルが生成され、
前記化合物が、式Ｉ、ＩＩ、ＩＩＩ、ＩＶ（ａ）〜ＩＶ（ｈ）、ＶＩＩ、ＶＩＩＩ、およびＩＸのいずれかの化合物、ならびにその誘導体、または前述のいずれかの塩もしくは立体異性体からなる群から選択される、方法。
(項目２３)
前記化合物が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、項目２２に記載の方法。
(項目２４)
前記化合物が、式ＶＩＩＩの化合物およびその誘導体、または前述のいずれかの塩もしくは立体異性体からなる群から選択される、項目２２に記載の方法。
(項目２５)
Ｒ１、Ｒ２、Ｒ３、Ｒ４、Ｒ５、Ｒ６、Ｒ７、およびＲ８がそれぞれ水素である、項目２４に記載の方法。
(項目２６)
Ｒ２０がＨである、項目２４または２５に記載の方法。
(項目２７)
Ｒ２１が−Ｃ１〜８アルキル−Ｎ（ＣＨ２ＣＨ２Ｃｌ）２である、項目２４から２６のいずれか一項に記載の方法。
(項目２８)
前記化合物が、式ＩＶ（ａ）〜ＩＶ（ｈ）のいずれかの化合物、およびその誘導体、または前述のいずれかの塩もしくは立体異性体からなる群から選択される、項目２２に記載の方法。
(項目２９)
前記化合物が、Ｓ−３０３の誘導体、またはその塩である、項目２２に記載の方法。
(項目３０)
前記化合物が、Ｓ−３０３の非脆性類似体、またはその塩である、項目２２に記載の方法。
(項目３１)
前記表面結合部分が、Ｓ−３０３の誘導体、またはその塩である、項目２２に記載の方法。
(項目３２)
前記表面結合部分が、Ｓ−３０３の非脆性類似体、またはその塩である、項目２２に記載の方法。
(項目３３)
前記赤血球の表面に結合した前記部分が、赤血球１個当たり少なくとも約１０，０００個の部分の担持レベルで存在する、項目２２から３２のいずれか一項に記載の方法。
(項目３４)
前記赤血球の表面に結合した前記部分が、少なくとも約５０個の部分／μｍ２の担持レベルで存在する、項目２２から３２のいずれか一項に記載の方法。
(項目３５)
前記第１および前記第２の試料の前記赤血球が同じ血液ドナーから得たものである、項目２２から３４のいずれか一項に記載の方法。
(項目３６)
ステップ（ｂ）の後に、
前記第１および前記第２の試料を洗浄するステップ
をさらに含む、項目２２から３５のいずれか一項に記載の方法。
(項目３７)
ステップ（ｂ）の後に、
前記第１および前記第２の試料に凍結保存剤を加えるステップと、
前記第１および前記第２の試料を冷凍するステップと
をさらに含む、項目２２から３６のいずれか一項に記載の方法。
(項目３８)
ステップ（ｂ）の後に、前記第１および第２の試料を冷蔵温度で保存するステップをさらに含む、項目２２から３６のいずれか一項に記載の方法。
(項目３９)
ステップ（ｂ）の後に、前記第１および第２の試料を約−２０℃未満で保存するステップを含む、項目２２から３７のいずれか一項に記載の方法。
(項目４０)
赤血球を含む第３の試料を前記化合物で処理するステップであって、前記第３の試料の前記赤血球の前記化合物による処理が、前記第３の試料の赤血球の表面に結合した第２のレベルの前記部分をもたらすステップをさらに含み、第１のレベルの前記部分が、前記第１の試料の赤血球の表面に結合しており、前記第２のレベルが前記第１のレベル未満である、項目２２から３９のいずれか一項に記載の方法。
(項目４１)
前記第３の試料を前記化合物で処理した後、
前記第３の試料を洗浄するステップ
をさらに含む、項目４０に記載の方法。
(項目４２)
前記第３の試料を前記化合物で処理した後、
凍結保存剤を前記第３の試料に加えるステップと、
前記第３の試料を冷凍するステップと
をさらに含む、項目４０または項目４１に記載の方法。
(項目４３)
前記第３の試料を前記化合物で処理した後、前記第３の試料を冷蔵温度で保存するステップをさらに含む、項目４０または項目４１に記載の方法。
(項目４４)
化合物に結合する抗体の存在について試料を試験する方法であって、
ａ）血清または血漿を含む試料を提供するステップと、
ｂ）前記試料を赤血球に接触させるステップであって、部分が前記赤血球の表面に結合しており、前記部分が、式Ｉ、ＩＩ、ＩＩＩ、ＩＶ（ａ）〜ＩＶ（ｈ）、ＶＩＩ、ＶＩＩＩ、およびＩＸのいずれかの化合物、ならびにその誘導体、または前述のいずれかの塩もしくは立体異性体からなる群から選択されるステップと、
ｃ）前記試料からの抗体と、前記赤血球の表面結合部分との間の結合の量をアッセイするステップであって、前記抗体と前記表面結合部分との間の結合が、前記抗体が前記化合物に結合することを示すステップと
を含む、方法。
(項目４５)
前記化合物が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、項目４４に記載の方法。
(項目４６)
前記化合物が、式ＶＩＩＩの化合物およびその誘導体、または前述のいずれかの塩もしくは立体異性体からなる群から選択される、項目４４に記載の方法。
(項目４７)
Ｒ１、Ｒ２、Ｒ３、Ｒ４、Ｒ５、Ｒ６、Ｒ７、およびＲ８がそれぞれ水素である、項目４６に記載の方法。
(項目４８)
Ｒ２０がＨである、項目４６または４７に記載の方法。
(項目４９)
Ｒ２１が−Ｃ１〜８アルキル−Ｎ（ＣＨ２ＣＨ２Ｃｌ）２である、項目４６から４８のいずれか一項に記載の方法。
(項目５０)
前記化合物が、式ＩＶ（ａ）〜ＩＶ（ｈ）のいずれかの化合物、およびその誘導体、または前述のいずれかの塩もしくは立体異性体からなる群から選択される、項目４４に記載の方法。
(項目５１)
前記化合物が、Ｓ−３０３の誘導体、またはその塩である、項目４４に記載の方法。
(項目５２)
前記化合物が、Ｓ−３０３の非脆性類似体、またはその塩である、項目４４に記載の方法。
(項目５３)
Ｓ−３０３の前記非脆性類似体が、Ｓ−１９７またはＳ−２２０である、項目５２に記載の方法。
(項目５４)
前記表面結合部分が、Ｓ−３０３の誘導体、またはその塩である、項目４４に記載の方法。
(項目５５)
前記表面結合部分が、Ｓ−３０３の非脆性類似体、またはその塩である、項目４４に記載の方法。
(項目５６)
前記赤血球の表面に結合した前記部分が、赤血球１個当たり少なくとも約１０，０００個の部分の担持レベルで存在する、項目４４から５５のいずれか一項に記載の方法。
(項目５７)
前記赤血球の表面に結合した前記部分が、少なくとも約５０個の部分／μｍ２の担持レベルで存在する、項目４４から５５のいずれか一項に記載の方法。
(項目５８)
前記化合物および前記表面結合部分が同じである、項目４４から５７のいずれか一項に記載の方法。
(項目５９)
前記化合物および前記表面結合部分が異なる、項目４４から５７のいずれか一項に記載の方法。
(項目６０)
ステップ（ｃ）が、前記試料からの抗体と、前記表面結合部分との間の結合の量を、参照と比較するステップであって、前記参照と比較した場合の結合の量の増加が前記試料中の前記抗体の存在を示すステップを含む、項目４４から５９のいずれか一項に記載の方法。
(項目６１)
ステップ（ｃ）が、前記試料からの抗体と、前記表面結合部分を欠く赤血球との間の結合の量をアッセイするステップを含む、項目６０に記載の方法。
(項目６２)
ステップ（ｃ）が、前記試料からの抗体と、前記表面結合部分の量がより少ない赤血球との間の結合の量をアッセイするステップをさらに含む、項目６０に記載の方法。
(項目６３)
ステップ（ｂ）が前記試料および前記赤血球を、抗ヒトグロブリンと接触させるステップを含み、ステップ（ｃ）が凝集量をアッセイするステップを含む、項目４４から６２のいずれか一項に記載の方法。
(項目６４)
赤血球輸血を患者に提供する方法であって、前記赤血球輸血が、病原体不活化化合物で処理した赤血球を含み、前記方法が、
ａ）前記患者からの血清または血漿を含む試料を提供するステップと、
ｂ）前記試料を第１の基材と接触させるステップであって、部分が前記基材の表面に結合しているステップと、
ｃ）前記試料からの抗体と、前記第１の基材の表面結合部分との間の結合の量を、参照と比較してアッセイするステップであって、前記抗体と前記表面結合部分との間の結合が、前記抗体が前記病原体不活化化合物で処理した赤血球に結合することを示すステップと、ｄ）前記結合の量が前記参照より高いかどうかを判定するステップと、
ｆ）前記結合の量が前記参照より高くないという判定に従い、血液輸血を前記患者に提供するステップと
を含む、方法。
(項目６５)
前記表面結合部分が、式Ｉ、ＩＩ、ＩＩＩ、ＩＶ、Ｖ、ＶＩ、ＶＩＩ、ＶＩＩＩ、およびＩＸのいずれかの化合物、ならびにその誘導体、または前述のいずれかの塩もしくは立体異性体からなる群から選択される、項目６４に記載の方法。
(項目６６)
前記表面結合部分が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、項目６４に記載の方法。
(項目６７)
前記表面結合部分が、式ＶＩＩＩの化合物およびその誘導体、または前述のいずれかの塩もしくは立体異性体からなる群から選択される、項目６４に記載の方法。
(項目６８)
Ｒ１、Ｒ２、Ｒ３、Ｒ４、Ｒ５、Ｒ６、Ｒ７、およびＲ８がそれぞれ水素である、項目６７に記載の方法。
(項目６９)
Ｒ２０がＨである、項目６７または６８に記載の方法。
(項目７０)
Ｒ２１が−Ｃ１〜８アルキル−Ｎ（ＣＨ２ＣＨ２Ｃｌ）２である、項目６７から６９のいずれか一項に記載の方法。
(項目７１)
前記表面結合部分が、式ＩＶ、Ｖ、およびＶＩのいずれかの化合物、ならびにその誘導体、または前述のいずれかの塩もしくは立体異性体からなる群から選択される、項目６４に記載の方法。
(項目７２)
前記表面結合部分が、式ＩＶ（ａ）〜ＩＶ（ｈ）のいずれかの化合物、およびその誘導体、または前述のいずれかの塩もしくは立体異性体からなる群から選択される、項目７１に記載の方法。
(項目７３)
前記表面結合部分が、Ｓ−３０３、Ｓ−３０３の誘導体、または前述のいずれかの塩である、項目６４に記載の方法。
(項目７４)
前記表面結合部分が、Ｓ−３０３の非脆性類似体またはその塩である、項目６４に記載の方法。
(項目７５)
Ｓ−３０３の前記非脆性類似体が、Ｓ−１９７またはＳ−２２０である、項目７４に記載の方法。
(項目７６)
前記化合物および前記表面結合部分が同じである、項目６４から７５のいずれか一項に記載の方法。
(項目７７)
前記化合物および前記表面結合部分が異なる、項目６４から７５のいずれか一項に記載の方法。
(項目７８)
前記第１の基材が、ポリマー粒子、マトリックス、またはアッセイプレートの一部分を含む、項目６４から７７のいずれか一項に記載の方法。
(項目７９)
前記第１の基材が赤血球を含む、項目６４から７７のいずれか一項に記載の方法。
(項目８０)
ステップ（ｃ）が、前記試料からの抗体と、前記表面結合部分を欠く第２の基材との間の結合の量をアッセイするステップを含む、項目６４から７９のいずれか一項に記載の方法。
(項目８１)
前記第２の基材が前記第１の基材と同じである、項目８０に記載の方法。
(項目８２)
ステップ（ｃ）が、前記試料からの抗体と、前記第１の基材と比較してより少量の前記表面結合部分を有する第３の基材との間の結合の量をアッセイするステップをさらに含む、項目６４から８０のいずれか一項に記載の方法。
(項目８３)
前記第３の基材が前記第１の基材と同じである、項目８２に記載の方法。
(項目８４)
ステップ（ｂ）が前記試料および前記基材（複数可）を抗ヒトグロブリンに接触させるステップを含み、ステップ（ｃ）が凝集量をアッセイするステップを含む、項目６４から８３のいずれか一項に記載の方法。
(項目８５)
前記基材（複数可）の表面に結合した前記部分が、前記病原体不活化化合物と同じではない、項目６４から８４のいずれか一項に記載の方法。
(項目８６)
ヒト赤血球を含む組成物であって、式Ｉ、ＩＩ、ＩＩＩ、ＩＶ（ａ）〜ＩＶ（ｈ）、ＶＩ、ＶＩＩ、ＶＩＩＩ、およびＩＸのいずれかの化合物、ならびにその誘導体、または前述のいずれかの塩もしくは立体異性体からなる群から選択される部分が、前記ヒト赤血球の表面に結合している、組成物。
(項目８７)
前記部分が、式Ｉ、ＩＩ、ＩＩＩ、ＶＩＩ、ＶＩＩＩ、およびＩＸのいずれかの化合物、ならびにその誘導体、または前述のいずれかの塩もしくは立体異性体からなる群から選択される、項目８６に記載の組成物。
(項目８８)
前記部分が、式ＶＩＩＩの化合物およびその誘導体、または前述のいずれかの塩もしくは立体異性体からなる群から選択される、項目８６に記載の組成物。
(項目８９)
Ｒ１、Ｒ２、Ｒ３、Ｒ４、Ｒ５、Ｒ６、Ｒ７、およびＲ８がそれぞれ水素である、項目８８に記載の組成物。
(項目９０)
Ｒ２０がＨである、項目８８または８９に記載の組成物。
(項目９１)
Ｒ２１が−Ｃ１〜８アルキル−Ｎ（ＣＨ２ＣＨ２Ｃｌ）２である、項目８８から９０のいずれか一項に記載の組成物。
(項目９２)
前記部分が、Ｓ−３０３の非脆性類似体またはその塩である、項目８６に記載の組成物。
(項目９３)
Ｓ−３０３の前記非脆性類似体が、Ｓ−１９７またはＳ−２２０である、項目９２に記載の組成物。